(57)【要約】【課題】可動ハウジングの移動を妨げることなく、コンタクト全体におけるインピーダンスの整合を行うことが可能な遊動型コネクタを提供する。【解決手段】遊動型コネクタ１は、相手コンタクトとの接触部１２、回路基板への基板接続部１５、及び接触部１２と基板接続部１５とを連結する可撓性のある可撓連結部１３を有するコンタクト１０と、コンタクト１０の接触部１２を収容する可動ハウジング２０と、コンタクト１０の基板接続部１５を固定する固定ハウジング３０とを具備している。また、可撓連結部１３は、第一湾曲部１３ａ、第一湾曲部１３ａが湾曲する向きに対して逆向きに湾曲する第二湾曲部１３ｃ、及び第一湾曲部１３ａと第二湾曲部１３ｃとを連結する直線状の連結部１３ｂを有し、Ｓ字形状に形成されている。そして、連結部１３ｂに、誘電体からなるインピーダンス調整部材５０が配設されている。【選択図】      図９
2008300130.tif 000002
【特許請求の範囲】
【請求項１】
相手コンタクトとの接触部、回路基板への基板接続部、及び前記接触部と前記基板接続部とを連結する可撓性のある可撓連結部を有するコンタクトと、該コンタクトの前記接触部を収容する可動ハウジングと、前記コンタクトの前記基板接続部を固定する固定ハウジングとを具備し、前記可動ハウジングが前記固定ハウジングの上方に前記固定ハウジングに対して所定間隔をもって積層された遊動型コネクタであって、
前記可撓連結部は、第一湾曲部、前記第一湾曲部が湾曲する向きに対して逆向きに湾曲する第二湾曲部、及び前記第一湾曲部と前記第二湾曲部とを連結する直線状の連結部を有し、Ｓ字形状に形成され、
前記連結部に、誘電体からなるインピーダンス調整部材が配設されていることを特徴とする遊動型コネクタ。
【請求項２】
前記インピーダンス調整部材は、下面側に前記可撓連結部の前記連結部が挿通される溝部を有し、
前記溝部の下端部には、各側壁から互いに対向するように延びる折り返し片が設けられ、
前記インピーダンス調整部材が、前記連結部上に、前記溝部の延びる方向に移動することが可能な状態で装着されていることを特徴とする請求項１記載の遊動型コネクタ。
【発明の詳細な説明】
【技術分野】
【０００１】
本発明は、遊動型コネクタ、特に２枚の回路基板同士を相互接続する際に用いられる遊動型コネクタに関する。
【背景技術】
【０００２】
従来、２枚の回路基板同士を相互接続する際に用いられる遊動型コネクタとして、例えば、図１３に示すものが知られている（特許文献１参照）。
図１３は、従来の遊動型コネクタを背面側からみた斜視図である。
図１３に示す遊動型コネクタ１０１は、複数の金属製のコンタクト１１０と、可動ハウジング１２０と、固定ハウジング１３０とを具備している。
【０００３】
各コンタクト１１０は、相手コネクタ（図示せず）に設けられた相手コンタクトに接触する接触部１１１と、回路基板（図示せず）に接続される基板接続部１１２と、接触部１１１と基板接続部１１２とを連結する可撓性のある可撓連結部１１３とを備えている。
そして、遊動型コネクタ１０１では、各コンタクト１１０の接触部１１１が可動ハウジング１２０の各コンタクト収容孔１２１に収容されて固定されるとともに、各コンタクト１１０の基板接続部１１２が固定ハウジング１３０に固定される。これにより、可動ハウジング１２０が、コンタクト１１０の可撓連結部１１３を介して固定ハウジング１３０に連結され、固定ハウジング１３０の上方に固定ハウジング１３０に対して間隔Ｘをもって積層された状態となっている。
【０００４】
そして、遊動型コネクタ１０１によれば、相手コネクタが嵌合される際に、可動ハウジング１２０が固定ハウジング１３０に対して上下方向及び水平方向に移動することにより、相手コンタクトとコンタクト１１０との位置ずれを許容できる。また、可動ハウジング１２０に障害物等が衝突し、可動ハウジング１２０に強い衝撃力が加わっても、コンタクト１１０の可撓連結部１１３でその衝撃を吸収して減衰される。このため、基板接続部１１２の半田接続部分のクラック発生を防止することができる。
【０００５】
しかしながら、遊動型コネクタ１０１の各コンタクト１１０では、金属部材を蛇行させて形成された可撓連結部１１３を有しているため、信号路である導体が長くなり、自己インダクタンスが大きくなる。すると、各コンタクト１１０において、可撓連結部１１３のインピーダンスが他の部分のインピーダンスと比較して大きくなり、信号路にインピーダンスの不整合を生じさせる。そして、各コンタクト１１０において信号路にインピーダンスの不整合が生じると、これに起因して信号の不要な反射が生じることとなる。しがたって、遊動型コネクタ１０１では、各コンタクト１１０に流れる電気信号に乱れが生じてしまうという問題がある。このような問題は、特に、各コンタクト１１０に周波数が高い（例えば、１．５〜３ＧＨｚ）電気信号を流す場合に顕著となる。ここで、可撓連結部１１３を有することに起因して各コンタクト１１０で生じる自己インダクタンスは、各コンタクト１１０の周りに空気よりも誘電率が大きい物質を配置してキャパシタンスを大きくすればキャンセルすることができる。
【０００６】
従来、コンタクト全体におけるインピーダンスの整合を行うコネクタとして、例えば、図１４に示すものが知られている（特許文献２参照）。
図１４は、従来のインピーダンス整合コネクタの斜視図である。
図１４に示すインピーダンス整合コネクタ２０１は、複数のシグナル端子２１０と、複数のグランド端子２１１と、コネクタ本体２２０と、コネクタ本体２１０に装着されるスペーサ２３０とを備えている。
各端子２１０，２１１は、相手コネクタ（図示せず）に設けられた相手コンタクトに接触する接触部２１２と、回路基板（図示せず）に接続される基板接続部２１３と、接触部２１２と基板接続部２１３とを連結するリード部２１４とを備えている。
【０００７】
スペーサ２３０は、誘電体からなり、櫛歯形状に形成されている。
そして、インピーダンス整合コネクタ２０１では、各端子２１０，２１１の接触部２１２がコネクタ本体２２０の各コンタクト収容孔２２１内に収容されて固定される。また、コネクタ本体２２０から導出される各シグナル端子２１０のリード部２１４と各グランド端子２１１のリード部２１４との間に、櫛歯形状のスペーサ２３０が挿入される。
【０００８】
インピーダンス整合コネクタ２０１では、各端子２１０，２１１の接触部２１２がコネクタ本体２２０の各コンタクト収容孔２２１内に収容されるとともに、コネクタ本体２２０から導出される各端子２１０，２１１のリード部２１４にスペーサ２３０を配設する構成により、各端子２１０，２１１のほぼ全体が誘電体により囲まれることとなる。これにより、各端子２１０，２１１において接触部２１２のインピーダンスとリード部２１３のインピーダンスとが整合され、各端子２１０，２１１全体におけるインピーダンスの整合を行うことが可能となる。
【特許文献１】特開２００６−３１８７６３号公報
【特許文献２】特開平１０−２７０１２４号公報
【発明の開示】
【発明が解決しようとする課題】
【０００９】
コンタクト全体におけるインピーダンスの整合を図るためには、図１４に示すインピーダンス整合コネクタ２０１のように、ハウジングから導出されるコンタクトの全体を誘電体により囲むことが望ましい。
しかしながら、図１３に示す遊動型コネクタ１０１では、各コンタクト１１０の可撓連結部１１３が可撓変形することにより可動ハウジング１２０が固定ハウジング１３０に対して上下方向及び水平方向に移動する構成を採用している。したがって、遊動型コネクタ１０１では、各コンタクト１１０の可撓連結部１１３の全体を誘電体により囲む構成を採用すると、可動ハウジング１２０の移動を妨げてしまうという問題がある。
本発明は上記した従来技術の問題を解決するためになされたものであり、その目的は、可動ハウジングの移動を妨げることなく、コンタクト全体におけるインピーダンスの整合を行うことが可能な遊動型コネクタを提供することにある。
【課題を解決するための手段】
【００１０】
上記目的を達成するために、本発明の請求項１に係る遊動型コネクタは、相手コンタクトとの接触部、回路基板への基板接続部、及び前記接触部と前記基板接続部とを連結する可撓性のある可撓連結部を有するコンタクトと、該コンタクトの前記接触部を収容する可動ハウジングと、前記コンタクトの前記基板接続部を固定する固定ハウジングとを具備し、前記可動ハウジングが前記固定ハウジングの上方に前記固定ハウジングに対して所定間隔をもって積層された遊動型コネクタであって、
前記可撓連結部は、第一湾曲部、前記第一湾曲部が湾曲する向きに対して逆向きに湾曲する第二湾曲部、及び前記第一湾曲部と前記第二湾曲部とを連結する直線状の連結部を有し、Ｓ字形状に形成され、
前記連結部に、誘電体からなるインピーダンス調整部材が配設されていることを特徴とする。
【００１１】
また、本発明の請求項２に係る遊動型コネクタは、請求項１に係る遊動型コネクタにおいて、前記インピーダンス調整部材は、下面側に前記可撓連結部の前記連結部が挿通される溝部を有し、
前記溝部の下端部には、各側壁から互いに対向するように延びる折り返し片が設けられ、
前記インピーダンス調整部材が、前記連結部上に、前記溝部の延びる方向に移動することが可能な状態で装着されていることを特徴とする。
【発明の効果】
【００１２】
本発明の請求項１に係る遊動型コネクタでは、可撓連結部は、第一湾曲部、前記第一湾曲部が湾曲する向きに対して逆向きに湾曲する第二湾曲部、及び前記第一湾曲部と前記第二湾曲部とを連結する直線状の連結部を有し、Ｓ字形状に形成され、前記連結部に、誘電体からなるインピーダンス調整部材が配設されている構成を採用している。したがって、本発明の請求項１に係る遊動型コネクタによれば、コンタクトにおいて最もインピーダンスが大きくなる連結部のインピーダンスを小さくさせることにより、コンタクト全体におけるインピーダンス整合を行うことが可能となる。また、インピーダンス調整部材は、連結部に配設されているため、可動ハウジングの移動を妨げることもない。
【００１３】
また、本発明の請求項２に係る遊動型コネクタでは、請求項１に係る遊動型コネクタにおいて、前記インピーダンス調整部材は、下面側に前記可撓連結部の前記連結部が挿通される溝部を有し、前記溝部の下端部には、各側壁から互いに対向するように延びる折り返し片が設けられ、前記インピーダンス調整部材が、前記連結部上に、前記溝部の延びる方向に移動することが可能な状態で装着されている構成を採用している。したがって、本発明の請求項２に係る遊動型コネクタによれば、遊動型コネクタの組み立てを行う際に、インピーダンス調整部材を容易に装着することが可能となる。
【発明を実施するための最良の形態】
【００１４】
次に本発明の実施形態を図面を参照して説明する。図１は、本発明に係る遊動型コネクタを背面側からみた斜視図である。図２は、図１に示す遊動型コネクタの平面図である。図３は、図１に示す遊動型コネクタの正面図である。図４は、図１に示す遊動型コネクタの底面図である。図５は、図１に示す遊動型コネクタの右側面図である。図６は、図１に示す遊動型コネクタの背面図である。図７は、図３の７−７線に沿う断面図である。図８は、図３の８−８線に沿う断面図である。図９は、図１に示す遊動型コネクタを背面側からみた部分拡大斜視図である。図１０は、図１に示す遊動型コネクタに備えられるコンタクト及びインピーダンス調整部材の斜視図である。図１１は、図１に示す遊動型コネクタに備えられるコンタクトの連結部の部分拡大斜視図である。図１２は、図１に示す遊動型コネクタに備えられるコンタクトの各位置におけるインピーダンスの大きさを示す模式図である。
【００１５】
図１から図６に示す遊動型コネクタ１は、複数の金属製のコンタクト１０と、インピーダンス調整部材５０と、絶縁性の可動ハウジング２０と、絶縁性の固定ハウジング３０と、１対のピン体４０とを具備している。
各コンタクト１０は、図７及び図１０に示すように、可動ハウジング２０に固定される固定部１１と、固定部１１から前方（図７における左方、図１０における右奥方）に向かって延びる、相手コネクタに設けられた相手コンタクト（図示せず）に接触する接触部１２とを具備している。また、各コンタクト１０は、固定部１１から後方に向かって延びる可撓性のある可撓連結部１３と、可撓連結部１３の後端に設けられた、固定ハウジング３０に固定される固定部１４と、固定部１４から一旦後方に向かって延びてから下方に向かって延びる、回路基板（図示せず）に接続される基板接続部１５とを具備している。各コンタクト１０は、金属板を打ち抜き及び曲げ加工することなどによって形成されるものである。
【００１６】
可撓連結部１３は、図１０に示すように、固定部１１から後方に向かって直線状に延びてから折り返すように湾曲する第一湾曲部１３ａと、第一湾曲部１３ａから前方に向かって直線状に延びる連結部１３ｂと、連結部１３ｂから第一湾曲部１３ａが湾曲する向きに対して逆向きに折り返すように湾曲してから後方に向かって直線状に延びる第二湾曲部１３ｃとを具備している。これにより、可撓連結部１３は、Ｓ字形状に形成される。
【００１７】
可撓連結部１３の連結部１３ｂの各側面には、図１１に示すように、側方に向かって突出する翼状の幅広部１７が設けられている。また、可撓連結部１３の連結部１３ｂの各側面の幅広部１７の後方には、側方に向かって突出するストッパ１８が設けられている。ここで、両幅広部１７の幅は、インピーダンス調整部材５０の後述する各溝部５１に挿通することができる広さに設定されている。一方、両ストッパ１８の幅は、各溝部５１に挿通することができない広さに設定されている。
【００１８】
ここで、固定部１１及び接触部１２により請求項１にいう「相手コンタクトとの接触部」を構成し、固定部１４及び基板接続部１５により請求項１にいう「回路基板への接続部」を構成し、可撓連結部１３は、前記「相手コンタクトとの接触部」と前記「回路基板への接続部」とを連結するようになっている。相手コネクタは、基板接続部１５が接続される回路基板に対して垂直に配置される別の回路基板上に実装されている。
【００１９】
インピーダンス調整部材５０は、誘電体からなり、図１０に示すように、長手方向（図１０における左奥から右手前に延びる方向）に延びる矩形形状に形成されている。ここで、本実施の形態における誘電体とは、空気に対して十分に大きな誘電率を持ち、損失（いわゆるｔａｎδ）が小さく、簡単に加工できる物質であればよい。本実施の形態では、インピーダンス調整部材５０は、ＬＣＰ（Ｌｉｑｕｉｄ  Ｃｒｙｓｔａｌ  ｐｏｌｙｍｅｒ）により形成されている。インピーダンス調整部材５０の下面側には、各コンタクト１０の可撓連結部１３の連結部１３ｂが挿通される溝部５１が複数形成されている。各溝部５１は、長手方向に所定のピッチで形成されている。また、各溝部５１は、インピーダンス調整部材５０の前後方向の全長に亘って形成されている。各溝部５１の下端部には、各側壁から互いに対向するように延びる折り返し片５２が設けられている。ここで、両折り返し片５２の間の幅は、各コンタクト１０の第二湾曲部１３ｃを通過させることができるが、連結部１３ｂの両幅広部１７を通過させることができない寸法に設定されている。
【００２０】
可動ハウジング２０は、長手方向（図３における左右方向）に延びる矩形形状の可動ハウジング本体２１を備え、絶縁性の樹脂を成形することによって形成されている。そして、可動ハウジング本体２１には、各コンタクト１０の固定部１１を圧入して固定するためのコンタクト固定用孔２２が、長手方向に沿って所定ピッチで複数形成されている。また、可動ハウジング本体２１には、図３に示すように、複数（本実施形態にあっては２個）の相手コネクタ受容凹部２２ａ，２２ｂが設けられている。可動ハウジング本体２１の長手方向各端部には、可動ハウジング本体２１から後方に向かって突出するピン体受容部２３が設けられている。各ピン体受容部２３には、上下方向に貫通する第１貫通孔２６が設けられている。
【００２１】
固定ハウジング３０は、長手方向（図３における左右方向）に延びる矩形形状の固定ハウジング本体３１を備え、絶縁性の樹脂を成形することによって形成されている。そして、固定ハウジング本体３１には、各コンタクト１０の固定部１４が圧入されるコンタクト固定用溝３２が長手方向に沿ってコンタクト固定用孔２２と同一ピッチで複数形成されている。そして、固定ハウジング本体３１には、所定個数（本実施形態にあっては１５個）のコンタクト固定用溝３２が連通する可撓連結部収容空間３３ａと所定個数（本実施形態にあっては７個）のコンタクト固定用溝３２が連通する可撓連結部収容空間３３ｂとが設けられている。また、固定ハウジング本体３１の長手方向各端部には、ピン体受容部３４が設けられている。各ピン体受容部３４の第１貫通孔２６に対応する位置には、ピン体受容部３４から上方に突出する筒状のボス部３５が設けられている。そして、各ピン体受容部３４及びボス部３５の双方を上下方向に貫通するように第２貫通孔３６が穿設されている。第２貫通孔３６は、ピン体４０を圧入固定するための圧入固定用孔部３６ａと、圧入固定用孔部３６ａの径及びピン体４０の外径よりもやや大きい径を有する拡径孔部３６ｂとで構成されている。そして、可動ハウジング２０の第１貫通孔２６の内径は、図８に示すように、ボス部３５を嵌入することが可能かつ可動ハウジング２０が固定ハウジング３０に対して上下動することが可能な大きさに設定されている。ここで、固定ハウジング本体３１及びピン体受容部３４により、請求項１にいう「ハウジング本体」を構成する。
【００２２】
各ピン体４０は、円柱状の金属製棒体で構成され、その外表面全体にわたって錫めっき等の金属めっきが施されている。
遊動型コネクタ１の組み立てを行う際には、まず、各コンタクト１０の固定部１１を可動ハウジング２０の各コンタクト固定用孔２２に圧入固定する。各コンタクト１０の固定部１１が各コンタクト固定用孔２２に圧入固定されると、各コンタクトの接触部１２が相手コネクタ受容凹部２２ａあるいは２２ｂ内に延びるように収容される。また、各コンタクト１０の固定部１１が各コンタクト固定用孔２２に圧入固定されると、各コンタクト１０の可撓連結部１３は、可動ハウジング本体２１から後方に向かって突出した状態となる。
【００２３】
次に、可動ハウジング本体２１から後方に向かって突出する各コンタクト１０の可撓連結部１３に、インピーダンス調整部材５０を装着する。各コンタクト１０の可撓連結部１３にインピーダンス調整部材５０を装着する際には、インピーダンス調整部材５０を、各コンタクト１０の可撓連結部１３の連結部１３ｂの両幅広部１７が、両幅広部１７の前側から、インピーダンス調整部材５０の各溝部５１に挿通されるように装着する。これにより、インピーダンス調整部材５０は、各コンタクト１０の可撓連結部１３の連結部１３ｂ上に、前後方向に移動することが可能な状態で装着される。このように、遊動型コネクタ１では、インピーダンス調整部材５０を各コンタクト１０の可撓連結部１３の連結部１３ｂに装着する際に、インピーダンス調整部材５０の各溝部５１に各コンタクト１０の可撓連結部１３の連結部１３ｂの両幅広部１７を挿通させるだけでよいため、インピーダンス調整部材５０を容易に装着することが可能となる。そして、各コンタクト１０の可撓連結部１３にインピーダンス調整部材５０が装着されることによって、各コンタクト１０の可撓連結部１３の連結部１３ｂが、誘電体により囲まれた状態となる。
【００２４】
そして、各コンタクト１０の固定部１４を固定ハウジング３０の各コンタクト固定用溝３２に圧入固定する。各コンタクト１０の固定部１４が各コンタクト固定用溝３２に圧入固定されると、各コンタクトの可撓連結部１３が、可撓連結部収容空間３３ａ，３３ｂ内に延びるように収容される。また、各コンタクト１０の固定部１４が各コンタクト固定用溝３２に圧入固定されると、各コンタクト１０の基板接続部１５が、固定ハウジング本体３１から下方に突出した状態となる。また、各コンタクト１０の固定部１４が固定ハウジング３０の各コンタクト固定用溝３２に圧入固定されることにより、図７に示すように、インピーダンス調整部材５０の各コンタクト１０の可撓連結部１３の連結部１３ｂ上での前後方向の移動範囲が、連結部１３ｂの両ストッパ１８と固定ハウジング３０の前壁の内面３０ａとの間に規制される。これにより、各コンタクト１０の可撓連結部１３の連結部１３ｂの両幅広部１７がインピーダンス調整部材５０の各溝部５１から抜けることがなくなり、インピーダンス調整部材５０が各コンタクト１０の可撓連結部１３から外れることが防止される。
【００２５】
さらに、図８に示すように、各ピン体４０を、固定ハウジング３０の下方から各第２貫通孔３６を通って可動ハウジング２０の第１貫通孔２６に挿通する。これにより、各ピン体４０は、固定ハウジング３０の圧入固定用孔部３６ａに圧入固定される。各ピン体４０が固定ハウジング３０の圧入固定用孔部３６ａに圧入固定されると、各ピン体４０の先端は、各ピン体４０を第１貫通孔２６に挿通した状態で、図８に示すように可動ハウジング２０の上面から上方に向かって突出している。
【００２６】
組み立てが完了した遊動型コネクタ１では、可動ハウジング２０は、図１、図７及び図８に示すように、固定ハウジング３０の上方に固定ハウジング３０に対して間隔Ｘをもって積層される。そして、可動ハウジング２０は、コンタクト１０の可撓連結部１３を介して固定ハウジング３０に連結された構成となる。これにより、遊動型コネクタ１では、可動ハウジング２０が固定ハウジング３０に対して上下方向及び水平方向に移動することが可能な状態となっている。
【００２７】
組み立てが完了した遊動型コネクタ１は、各ピン体４０の下端部が、回路基板に設けられた位置決め用孔（図示せず）に挿通されて半田接続されるとともに、各コンタクト１０の基板接続部１５が、回路基板に設けられたスルーホール（図示せず）に半田接続又は表面実装される。これにより、遊動型コネクタ１は、回路基板上に実装されることになる。また、各ピン体４０の上端部が、遊動型コネクタ１が実装される電子機器の筐体（図示せず）に設けられた位置決め用孔（図示せず）に嵌合される。これにより、遊動型コネクタ１は、前記筐体に対しても位置決めされることになる。
【００２８】
このように構成された遊動型コネクタ１に相手コネクタが嵌合すると、相手コネクタに設けられた相手コンタクトがコンタクト１０の接触部１２に接触し、相手コネクタが実装されている回路基板と遊動型コネクタ１が実装されている回路基板とが電気的に導通することになる。この両コネクタの嵌合の際に、位置ずれがあった場合、特に上下方向に位置ずれがあった場合には、可動ハウジング２０が固定ハウジング３０に対して上下方向に移動し、位置ずれを許容できる。また、可動ハウジング２０に障害物等が衝突し、可動ハウジング２０に強い衝撃力が加わっても、コンタクト１０の可撓連結部１３でその衝撃を吸収して減衰される。このため、基板接続部１５の半田接続部分のクラック発生を防止することができる。
【００２９】
ここで、インピーダンス調整部材５０を備えていない状態における各コンタクト１０の各位置におけるインピーダンスは、図１２に示すように、可動ハウジング２０の各コンタクト固定用孔２２に圧入固定される固定部１１及び固定ハウジング３０の各コンタクト固定用溝３２に圧入固定される固定部１４で小さくなっているのに対して、可撓連結部１３で大きくなっている。そして、インピーダンス調整部材５０を備えていない状態における各コンタクト１０の各位置におけるインピーダンスは、特に、可撓連結部１３の中間部が最も大きくなっている。なお、図１２は、各コンタクト１０の各位置におけるインピーダンスの変化を相対的に示す模式図であり、図１２の縦軸は任意目盛である。また、図１２の横軸は、各コンタクト１０の一端部からの距離を示している。そこで、遊動型コネクタ１では、各コンタクト１０の可撓連結部１３の中間部に位置する連結部１３ｂにインピーダンス調整部材５０を配設する構成を採用している。これにより、各コンタクト１０の可撓連結部１３の連結部１３ｂが誘電体により囲まれ、連結部１３ｂのインピーダンスを小さくさせることにより、コンタクト１０全体におけるインピーダンス整合を行うことが可能となる。
【００３０】
なお、各コンタクト１０の可撓連結部１３の連結部１３ｂのインピーダンスの目標値を１００±１０Ωに設定した場合に、インピーダンス調整部材５０を装着していない状態の連結部１３ｂのインピーダンスは１１９Ωとなっている。一方、ＬＣＰにより形成されたインピーダンス調整部材５０を装着した状態の連結部１３ｂのインピーダンスは９７Ωとなり、上記目標値内となっている。なお、１ＧＨｚにおけるＬＣＰの比誘電率は３．８である。
【００３１】
また、インピーダンス調整部材５０を各コンタクト１０の可撓連結部１３の連結部１３ｂに配設することにより、インピーダンス調整部材５０は、固定ハウジング３０の可撓連結部収容空間３３ａ，３３ｂ内に収容されることとなる。これにより、インピーダンス調整部材５０が可動ハウジング２０の移動を妨げることが防止される。
さらに、インピーダンス調整部材５０を各コンタクト１０の可撓連結部１３の連結部１３ｂに配設することにより、各コンタクト１０を所定のピッチに整列させることができ、各コンタクト１０のピッチが変わることに起因して各コンタクト１０のインピーダンスが変化することを防止することが可能となる。
【００３２】
ここで、インピーダンス調整部材５０は、比誘電率が異なる材料により形成することで、各コンタクト１０のインピーダンスを異ならせることができる。また、インピーダンス調整部材５０は、溝部５１の幅を変化させることで、各コンタクト１０のインピーダンスを異ならせることができる。したがって、比誘電率が異なる材料により形成したインピーダンス調整部材５０又は溝部５１の幅が異なるインピーダンス調整部材５０を複数種類用意しておき、遊動型コネクタ１の組み立て時に装着するインピーダンス調整部材５０を適宜選択することにより、各コンタクト１０のインピーダンスを所望の値に調整することも可能である。
【００３３】
以上、本発明の実施形態について説明してきたが、本発明はこれに限定されずに種々の変更、改良を行うことができる。
例えば、本実施の形態では、インピーダンス調整部材５０は、各コンタクト１０の可撓連結部１３の連結部１３ｂ上に、前後方向に移動することが可能な状態で装着する構成を採用している。しかしながら、インピーダンス調整部材５０を、各コンタクト１０の可撓連結部１３の連結部１３ｂに圧入固定する構成を採用しても構わない。また、インピーダンス調整部材５０を、各コンタクト１０の可撓連結部１３の連結部１３ｂ上に接着又は熱融着する構成を採用しても構わない。
【００３４】
また、本実施の形態では、インピーダンス調整部材５０は、ＬＣＰにより形成されているが、他の誘電体により形成しても構わない。
また、本実施の形態では、各コンタクト１０の可撓連結部１３の連結部１３ｂに幅広部１７及びストッパ１８が設け、両幅広部１７がインピーダンス調整部材５０の各溝部５１に挿通される構成を採用している。しかしながら、各コンタクト１０の可撓連結部１３の連結部１３ｂに幅広部１７及びストッパ１８を設けずに、連結部１３ｂがインピーダンス調整部材５０の各溝部５１に挿通される構成を採用しても構わない。
さらに、本実施の形態では、一対のピン体４０を備える構成を採用しているが、両ピン体４０を備えない構成としても構わない。
【図面の簡単な説明】
【００３５】
【図１】本発明に係る遊動型コネクタを背面側からみた斜視図である。
【図２】図１に示す遊動型コネクタの平面図である。
【図３】図１に示す遊動型コネクタの正面図である。
【図４】図１に示す遊動型コネクタの底面図である。
【図５】図１に示す遊動型コネクタの右側面図である。
【図６】図１に示す遊動型コネクタの背面図である。
【図７】図３の７−７線に沿う断面図である。
【図８】図３の８−８線に沿う断面図である。
【図９】図１に示す遊動型コネクタを背面側からみた部分拡大斜視図である。
【図１０】図１に示す遊動型コネクタに備えられるコンタクト及びインピーダンス調整部材の斜視図である。
【図１１】図１に示す遊動型コネクタに備えられるコンタクトの連結部の部分拡大斜視図である。
【図１２】図１に示す遊動型コネクタに備えられるコンタクトの各位置におけるインピーダンスの大きさを示す模式図である。
【図１３】従来の遊動型コネクタを背面側からみた斜視図である。
【図１４】従来のインピーダンス整合コネクタの斜視図である。
【符号の説明】
【００３６】
１  遊動型コネクタ
１０  コンタクト
１１  固定部（接触部）
１２  接触部（接触部）
１３  可撓連結部
１３ａ  第一湾曲部
１３ｂ  連結部
１３ｃ  第二湾曲部
１４  固定部（基板接続部）
１５  基板接続部（基板接続部）
１７  幅広部
１８  ストッパ
２０  可動ハウジング
２６  第１貫通孔
３０  固定ハウジング
３１  固定ハウジング本体（ハウジング本体）
３４  ピン体受容部（ハウジング本体）
３５  ボス部
３６  第２貫通孔
４０  ピン体
５０  インピーダンス調整部材
５１  溝部
５２  折り返し片
【図１】
2008300130.tif 000003
【図２】
2008300130.tif 000004
【図３】
2008300130.tif 000005
【図４】
2008300130.tif 000006
【図５】
2008300130.tif 000007
【図６】
2008300130.tif 000008
【図７】
2008300130.tif 000009
【図８】
2008300130.tif 000010
【図９】
2008300130.tif 000011
【図１０】
2008300130.tif 000012
【図１１】
2008300130.tif 000013
【図１２】
2008300130.tif 000014
【図１３】
2008300130.tif 000015
【図１４】
2008300130.tif 000016